(57)【要約】【課題】  効率的に、余分な電力の消費を削減する。【解決手段】  制御手段１１は、省略モードが動作していない状態において、加速度センサ１０が縫製動作による振動を感知した場合には、省略モードを開始し、縫製動作による振動を感知しない場合には、省略モードが動作していない状態を維持し、省略モードが動作している状態において、加速度センサ１０が手持ち操作による振動を感知した場合には、省電力モードを停止し、手持ち操作による振動を感知しない場合には、タッチパネル７が操作されたか否かを判別し、操作されたと判断した場合には、省略モードを停止し、操作されていないと判断した場合には、省略モードを維持する。【選択図】      図３
2009232944.tif 000002
【特許請求の範囲】
【請求項１】
ミシンテーブルまたはミシン本体に置かれ、操作時に手持ち操作が可能な入力装置本体を備えており、前記入力装置本体には前記ミシン本体の縫製に関する縫製データを入力する入力手段と、縫製データを表示する表示手段とを備えたミシンの手元入力装置において、
前記入力装置本体には、この入力装置本体に加えられた振動を感知する感知センサを備え、
前記感知センサにより前記ミシン本体の縫製動作によるミシンモータの振動と手持ち操作による振動とを判別して、前記表示手段の省電力モードを動作するか否かを判断する制御手段を設けたことを特徴とするミシンの手元入力装置。
【請求項２】
前記制御手段は、前記省電力モードが動作していない状態において、前記感知センサが縫製動作による前記ミシンモータの振動を判別した場合には、前記省電力モードを開始し、前記感知センサが縫製動作による前記振動を判別しない場合には、前記省電力モードが動作していない状態を維持することを特徴とする請求項１に記載のミシンの手元入力装置。
【請求項３】
前記制御手段は、前記省電力モードが動作している状態において、前記感知センサが手持ち操作による振動を判別した場合には、前記省電力モードを停止することを特徴とする請求項１または請求項２に記載のミシンの手元入力装置。
【請求項４】
前記制御手段は、前記感知センサが手持ち操作による振動を判別しない場合には、前記制御手段が前記入力手段から入力した縫製データに基づき、前記入力手段が操作されたか否かを判別し、前記入力手段が操作されたと判断した場合には、前記省電力モードを停止し、前記入力手段が操作されていないと判断した場合には、前記省電力モードを維持することを特徴とする請求項３に記載のミシンの手元入力装置。
【請求項５】
前記感知センサとして、加速度センサを用いることを特徴とする請求項２から請求項４のいずれか１項に記載のミシンの手元入力装置。
【請求項６】
前記入力手段を、表示手段が積層されたタッチパネルとし、
前記表示手段と、前記表示手段に電力を供給する電力供給手段との間に開閉器を設け、
前記制御手段は、前記開閉器を開状態にして前記表示手段への電力供給を中断することにより前記省電力モードを動作し、前記開閉器を閉状態にして前記表示手段への電力供給を行うことにより前記省電力モードの動作を停止することを特徴とする請求項１から請求項５のいずれか１項に記載のミシンの手元入力装置。
【発明の詳細な説明】
【技術分野】
【０００１】
本発明は、ミシン本体から独立して設けられ、縫製に関する縫製データをミシン本体に入力可能なミシンの手元入力装置に関する。
【背景技術】
【０００２】
従来より、ミシン本体から独立して設けられ、手持ち操作によって、ミシンの縫製動作や縫製パターン等の縫製に関する様々な縫製データをミシン本体に入力可能なミシンの手元入力装置が用いられている。
【０００３】
従来のミシンの手元入力装置は、例えば、縫製データを入力するタッチパネル等からなる入力手段と、入力手段の表示を行う液晶表示パネル等からなる表示手段と、手元入力装置の各部を制御する制御手段と、入力手段、表示手段および制御手段に電力を供給する電力供給手段とを有しており、制御手段は、ミシン本体の各部を制御する本体制御手段に接続されている。この手元入力装置は、操作者が操作しないときは固定台に載置されるようになっており、操作する際には固定台から取りだされて手持ち操作されるようになっている。そして、このような手元入力装置は、電源がＯＮにされると、電力供給手段によって制御手段に電力を供給し、制御手段が表示手段において表示を行うようになっている。また、操作者により入力手段が操作されると、制御手段は、入力手段から各種縫製データを入力し、入力した縫製データを本体制御手段に出力するようになっている。
【０００４】
【特許文献１】特開２００６−０８７８０９号公報
【発明の開示】
【発明が解決しようとする課題】
【０００５】
しかし、前述のような従来のミシンの手元入力装置は、例えば、ミシンの縫製動作中に手元入力装置を固定台に載置して、入力装置本体の入力手段を操作しないときであっても、電力供給手段から制御手段や表示手段に電力が供給され続けているため、余分な電力を消費してしまうという問題を有していた。さらに、前述のミシンの手元入力装置によれば、余分な電力の供給により手元入力装置、特に表示手段の発熱量が過度に上昇してしまうおそれがあるという問題を有していた。
【０００６】
本発明はこれらの点に鑑みてなされたものであり、効率的に、余分な電力の消費を削減することができるミシンの手元入力装置を提供することを目的とする。
【課題を解決するための手段】
【０００７】
前記目的を達成するため、請求項１に記載の発明に係るミシンの手元入力装置の特徴は、ミシンテーブルまたはミシン本体に置かれ、操作時に手持ち操作が可能な入力装置本体を備えており、前記入力装置本体には前記ミシン本体の縫製に関する縫製データを入力する入力手段と、縫製データを表示する表示手段とを備えたミシンの手元入力装置において、前記入力装置本体には、この入力装置本体に加えられた振動を感知する感知センサを備え、前記感知センサにより前記ミシン本体の縫製動作によるミシンモータの振動と手持ち操作による振動とを判別して、前記表示手段の省電力モードを動作するか否かを判断する制御手段を設けた点にある。
【０００８】
この請求項１に記載の発明によれば、制御手段は、ミシン本体からデータを入力することを必要とせず、感知センサからの感知結果のみによって、入力装置本体の操作状況を判断して、省電力モードを動作するか否かを判断することができる。
【０００９】
請求項２に記載の発明に係るミシンの手元入力装置の特徴は、請求項１に記載のミシンの手元入力装置において、前記制御手段は、前記省電力モードが動作していない状態において、前記感知センサが縫製動作による前記ミシンモータの振動を判別した場合には、前記省電力モードを開始し、前記感知センサが縫製動作による前記振動を判別しない場合には、前記省電力モードが動作していない状態を維持する点にある。
【００１０】
この請求項２に記載の発明によれば、制御手段は、省電力モードが動作していない状態において、感知センサが縫製動作による振動を感知した場合に省電力モードを開始することにより、ミシン本体の本体制御手段からミシン本体が縫製動作を開始したことを示す縫製開始データを制御手段に出力しないと省電力モードが動作しないという不都合を回避することができ、手元入力装置のみによって、効率的に余分な電力の消費を削減することができる。
【００１１】
さらに、制御手段は、感知センサが縫製動作による振動を感知しない場合には省電力モードが動作していない状態を維持することにより、操作者が入力手段の操作を続けたい場合に手元入力装置が省電力モードになってしまうという不都合を回避し、手元入力装置の操作性の向上を図ることが可能となる。
【００１２】
請求項３に記載の発明に係るミシンの手元入力装置の特徴は、請求項１または請求項２に記載のミシンの手元入力装置において、前記制御手段は、前記省電力モードが動作している状態において、前記感知センサが手持ち操作による振動を判別した場合には、前記省電力モードを停止する点にある。
【００１３】
この請求項３に記載の発明によれば、制御手段は、省電力モードが動作している状態において、感知センサが手持ち操作による振動を感知した場合には、省電力モードを停止することができる。これにより、制御手段は、例えば操作者が入力装置本体を手持ちすることにより、感知センサは手持ち操作による振動を感知し、制御手段は省電力モードを停止することができるので、操作者は素早くタッチパネルによる操作を開始することができ、手元入力装置の操作性の向上を図ることができる。
【００１４】
請求項４に記載の発明に係るミシンの手元入力装置の特徴は、請求項３に記載のミシンの手元入力装置において、前記制御手段は、前記感知センサが手持ち操作による振動を判別しない場合には、前記制御手段が前記入力手段から入力した縫製データに基づき、前記入力手段が操作されたか否かを判別し、前記入力手段が操作されたと判断した場合には、前記省電力モードを停止し、前記入力手段が操作されていないと判断した場合には、前記省電力モードを維持する点にある。
【００１５】
この請求項４に記載の発明によれば、制御手段は、タッチパネルから入力した縫製データに基づきタッチパネルが操作されたと判断した場合には、省電力モードを停止することにより、手元入力装置の操作性の向上を図ることができる。さらに、制御手段は、タッチパネルから入力した縫製データに基づきタッチパネルが操作されていないと判断した場合には、省電力モードを維持することにより、効率的に余分な電力の消費を削減することができる。
【００１６】
請求項５に記載の発明に係るミシンの手元入力装置の特徴は、請求項２から請求項４のいずれか１項に記載のミシンの手元入力装置において、前記感知センサとして、加速度センサを用いる点にある。
【００１７】
この請求項５に記載の発明によれば、加速度センサによって、縫製による振動、および手持ち操作による振動を確実に感知することができる。
【００１８】
請求項６に記載の発明に係るミシンの手元入力装置の特徴は、前記入力手段を、表示手段が積層されたタッチパネルとし、前記表示手段と前記表示手段に電力を供給する電力供給手段との間に開閉器を設け、前記制御手段は、前記開閉器を開状態にして前記表示手段への電力供給を中断することにより前記省電力モードを動作し、前記開閉器を閉状態にして前記表示手段への電力供給を行うことにより前記省電力モードの動作を停止する点にある。
【００１９】
この請求項６に記載の発明によれば、制御手段は、表示手段の表示を中断することにより省電力モードを動作し、表示手段の表示を開始することにより省電力モードの動作を停止することにより、手元入力装置において効率的に余分な電力の消費を削減することができる。
【発明の効果】
【００２０】
以上述べたように、本発明に係るミシンの手元入力装置によれば、手元入力装置のみによって、効率的に余分な電力の消費を削減することができる。
【発明を実施するための最良の形態】
【００２１】
以下、本発明に係るミシンの手元入力装置の一実施形態を図１から図７を参照して説明する。
【００２２】
図１は、本実施形態に係るミシンの手元入力装置を示す構成図であり、図２は、図１の手元入力装置およびミシン本体を示す概略図である。
【００２３】
図１および図２に示すように、本実施形態に係る手元入力装置１は、ミシン本体２から独立して設けられた入力装置本体３と、入力装置本体３を載置する固定台５とを有しており、固定台５は、ミシン本体２が設置されているミシンテーブルまたはミシン本体に配設されている。
【００２４】
入力装置本体３には、縫製データを入力する入力手段として透明タッチパネルスイッチ、外部メモリおよび外部ネットワークと接続したサーバを含む入出力機器（タッチパネル）７、およびこのタッチパネル７の入力操作のためのスイッチ図形を含む操作画面や縫製データの表示を行う表示手段としての液晶表示パネル８とが積層して配設されており、入力装置本体３は、操作者が液晶表示パネル８の表示に基づきタッチパネル７を操作しないときには固定台５に載置され、操作者がタッチパネル７を操作する際には、固定台５に載置されたまま操作可能であるとともに、固定台５から取り出されて手持ち操作可能とされている。
【００２５】
入力装置本体３には、入力装置本体３の操作状況を感知する感知センサとして、ミシン本体２の縫製動作による振動、および手元入力装置１の手持ち操作による振動を感知する加速度センサ１０が設けられている。加速度センサ１０は、内部におもりが収納されたケース（図示せず）を有しており、おもりは、ケースの内部においておもりのＸ軸方向およびＹ軸方向に配置されたばねによって支持されている。そして、入力装置本体３の動きによるおもりの移動量またはおもりに加わった負荷の変位量を検出するための一般的な検知機構として、ピエゾ抵抗型、静電容量型または熱検知型があり、３軸方向の加速度信号を検出して、ＣＰＵによりその振動の種類を判別する。ここで入力装置本体３の動きとは、入力装置本体３が固定台５に載置されているときのミシン本体２の縫製動作による入力装置本体３の振動や、入力装置本体３が手持ち操作されることによる振動あるいは無振動をいう。具体的には、ミシン本体２の縫製動作によるミシンモータ駆動による数百〜数千ＨＺの振動、および入力装置本体３の手持ち操作による数十ＨＺの振動、さらには、ミシン本体２の縫製動作および手持ち操作が行われておらずゼロＨＺの無振動が発生する。加速度センサ１０は、この３種類の振動の特徴的な違いを、検知機構から出力された検知信号の振動周波数や振動の大きさ、振動方向から判別手段で判別して、入力装置本体３の前記３種類の操作状況を感知するようになっている。
【００２６】
また、入力装置本体３には、手元入力装置１の各部を制御する制御手段１１が設けられており、制御手段１１は、ＣＰＵ、ＲＯＭ、ＲＡＭを備え、ＲＯＭに記憶されたプログラムにしたがって、ＣＰＵが所望の制御を行うように構成され、さらに制御手段１１は、ミシン本体２の各部を制御する本体制御手段１３に無線または有線を介して接続されている。そして、制御手段１１は、液晶表示パネル８の表示にしたがって操作者により液晶表示パネル８の表示画面が押圧されてタッチパネル７が操作されることにより、手元入力装置１に装着された入出力機器として、外部メモリまたは外部ネットワークと接続したサーバからミシン本体２の縫製動作プログラムや縫製パターン等の縫製動作や表示動作に関する各種縫製データが入出力されるようになっている。
【００２７】
また、制御手段１１は、加速度センサ１０から、おもりの移動量またはおもりに加わった負荷に関する加速度データを入力し、この加速度データに基づいて、入力装置本体３の手持ち操作による振動か否か、またはミシン本体２の縫製動作による振動か否かを判断するようになっている。そして、制御手段１１は、加速度センサ１０により感知された操作状況に基づいて、省電力モードを動作させるか否かを決定するようになっている。本実施形態においては、液晶表示パネル８の表示をＯＦＦにすることにより、省電力モードを動作させるようになっている。
【００２８】
入力装置本体３には、制御手段１１、タッチパネル７および液晶表示パネル８に電力を供給するための電源供給手段１５が設けられており、電源供給手段１５と液晶表示パネル８との間には、電力の供給を制御する開閉器１６が設けられている。開閉器１６は、制御手段１１による省電力モードを動作させるか否かの判断により、開閉器１６の開状態および閉状態が制御されるようになっている。開閉器１６は、閉状態のときに電源供給手段１５からの電力を液晶表示パネル８に供給するようになっており、これにより、制御手段１１は、液晶表示パネル８において表示を行うようになっている。一方、開閉器１６は、開状態のときに電源供給手段１５からの電力を液晶表示パネル８に伝達しないようになっており、これにより、制御手段１１は、液晶表示パネル８の表示をＯＦＦにして、省電力モードを動作するようになっている。
【００２９】
このような手元入力装置１は、電源がＯＮにされると、電力供給手段によって制御手段１１に電力を供給し、制御手段１１が表示手段において表示を行うようになっている。また、操作者によりタッチパネル７が操作されると、制御手段１１は、タッチパネル７から各種縫製データを入力し、入力した縫製データを本体制御手段１３に出力するようになっている。
【００３０】
次に、本実施形態の作用について、手元入力装置１における省電力モードの判断につき図３を用いて説明する。
【００３１】
まず、手元入力装置１の制御手段１１は、液晶表示パネル８の表示が行われているか否かを判別する（ＳＴ１）。
【００３２】
ここで、制御手段１１は、液晶表示パネル８の表示が行われていると判断した場合には（ＳＴ１においてＹｅｓ）、制御手段１１から液晶表示パネル８に出力している表示データに基づき、液晶表示パネル８の表示が、図４に示すようなミシン本体２のＸ実寸値、Ｙ実寸値、最高速度制限等の各種縫製条件や、糸張力設定、中押さえ設定、糸つかみ設定等の縫製条件の設定を変更するためのボタン、さらには、記録されている縫製パターンのフォルダ等を表示する縫製画面か否かを判別する（ＳＴ２）。そして、制御手段１１は、縫製画面であると判断した場合には（ＳＴ２においてＹｅｓ）、続いて加速度センサ１０から加速度データを入力し、ミシン本体２の縫製動作による振動を感知したか否かを判別する（ＳＴ３）。一方、制御手段１１は、液晶表示パネル８の表示が縫製画面ではないと判断した場合には（ＳＴ２においてＮｏ）、タッチパネル７の最後の操作から３０秒経過したか否かを判別する（ＳＴ４）。
【００３３】
そして、制御手段１１は、加速度センサ１０から入力した加速データによりミシン本体２の縫製動作による振動を感知したと判断した場合（ＳＴ３においてＹｅｓ）、または、タッチパネル７の最後の操作から３０秒が経過したと判断した場合（ＳＴ４においてＹｅｓ）、開閉器１６を開状態にして液晶表示パネル８への電力の供給を中断することにより、液晶表示パネル８の表示を停止して省電力モードを動作させる（ＳＴ５）。一方、制御手段１１は、ミシン本体２の縫製動作による振動を感知していないと判断した場合（ＳＴ３においてＮｏ）、またはタッチパネル７の最後の操作から３０秒が経過していないと判断した場合には（ＳＴ４においてＮｏ）、開閉器１６の閉状態を維持して液晶表示パネル８への電力の供給を継続することにより、液晶表示パネル８の表示を維持する（ＳＴ６）。
【００３４】
また、制御手段１１は、液晶表示パネル８の表示が行われていないと判断した場合には（ＳＴ１においてＮｏ）、加速度センサ１０から加速度データを入力し、手持ち操作による振動を感知したか否かを判別し（ＳＴ７）、手持ち操作による振動を感知しないと判断した場合には（ＳＴ７においてＮｏ）、縫製データを入力する等のためにタッチパネル７が押圧操作されたか否かを判別する（ＳＴ８）。一方、制御手段１１は、手持ち操作による振動を感知しないと判断した場合（ＳＴ７においてＹｅｓ）、またはタッチパネル７が操作されたと判断した場合には（ＳＴ８においてＹｅｓ）、開閉器１６を閉状態にして液晶表示パネル８への電力の供給を開始することにより、液晶表示パネル８において表示を行う（ＳＴ９）。また、制御手段１１は、タッチパネル７が操作されていないと判断した場合には（ＳＴ８においてＮｏ）、開閉器１６の開状態を維持して液晶表示パネル８に電力を供給しない状態を継続することにより、省電力モードを維持するようになっている（ＳＴ１０）。
【００３５】
そして、制御手段１１は、手元入力装置１の電源がＯＦＦにされるまで、前述の省電力モードの判断を繰り返す。
【００３６】
本実施形態によれば、手元入力装置１には、入力装置本体３の操作状況を感知可能な加速度センサ１０が設けられており、制御手段１１は、ミシン本体２からデータ入力することを必要とせず、加速度センサ１０により検出された加速度データのみによって、入力装置本体３の操作状況を判断して、省電力モードを動作するか否かを判断することができる。
【００３７】
したがって、手元入力装置１は、手元入力装置１のみによって、効率的に余分な電力の消費を削減することができる。
【００３８】
また、手元入力装置１の制御手段１１は、省電力モードが動作していない状態において、加速度センサ１０が縫製動作による振動を感知した場合には省電力モードを開始することができる。これにより、手元入力装置１は、本体制御手段１３からミシン本体２が縫製動作を開始したことを示す縫製開始データを制御手段１１に出力しないと省電力モードが動作しないという不都合を回避することができ、手元入力装置１のみによって、効率的に余分な電力の消費を削減することができる。
【００３９】
さらに、制御手段１１は、加速度センサ１０が縫製動作による振動を感知しない場合には省電力モードが動作していない状態を維持することができる。これにより、操作者がタッチパネル７の操作を続けたい場合に手元入力装置１が省電力モードになってしまうという不都合を回避し、手元入力装置１の操作性の向上を図ることが可能となる。
【００４０】
さらにまた、制御手段１１は、省電力モードが動作している状態において、加速度センサ１０が手持ち操作による振動を感知した場合には、省電力モードを停止することができる。このため、例えば操作者が入力装置本体３を固定台５から取り出すことにより、加速度センサ１０は手持ち操作による振動を感知し、制御手段１１は省電力モードを停止することができる。これにより、操作者は素早くタッチパネル７による操作を開始することができるので、手元入力装置１の操作性の向上を図ることができる。
【００４１】
また、制御手段１１は、省電力モードが動作している状態において、加速度センサ１０が手持ち操作による振動を感知しない場合には、制御手段１１がタッチパネル７から入力した縫製データに基づきタッチパネル７が操作されたか否かを判別し、タッチパネル７が操作されたと判断した場合には、省電力モードを停止することにより、手元入力装置１の操作性の向上を図ることができる。さらに、制御手段１１は、タッチパネル７から入力した縫製データに基づきタッチパネル７が操作されていないと判断した場合には、省電力モードを維持することにより、効率的に余分な電力の消費を削減することができる。
【００４２】
さらにまた、制御手段１１は、表示手段の表示を中断することにより省電力モードを動作し、表示手段の表示を開始することにより省電力モードの動作を停止することにより、手元入力装置１において効率的に余分な電力の消費を削減することができる。
【００４３】
次に、本発明に係るミシンの手元入力装置１の第２の実施形態について、図５および図６を用いて説明する。ここで、第２の実施形態において第１の実施形態と同一の構成については詳説を省略し、同一の符号を用いて説明する。
【００４４】
図５は、第２の実施形態に係るミシンの手元入力装置１の構成を示すブロック図であり、図６は、図５の手元入力装置１およびミシン本体２を示す概略図である。
【００４５】
図５および図６に示すように、第２の実施形態に係る手元入力装置１は、入力装置本体３と入力装置本体３を載置する固定台５とを有している。入力装置本体３には、入力装置本体３の操作状況を感知する感知センサとして、入力装置本体３が固定台５に載置されているか否かを感知する磁気センサ１８が設けられている。また、固定台５には、磁石１９が配設されており、入力装置本体３の磁気センサ１８は、入力装置本体３が固定台５に載置されたときに、固定台５に配設された磁石１９の磁気を感知するようになっている。これにより、磁気センサ１８は、入力装置本体３が固定台５に載置されているか否かを感知して、入力装置本体３の操作状況を感知するようになっている。
【００４６】
入力装置本体３に設けられた制御手段１１は、磁気センサ１８から入力された磁気データに基づいて、入力装置本体３が固定台５に載置されているか、または入力装置本体３が固定台５から取り出されているかを判断し、入力装置本体３の操作状況に基づいて省電力モードを動作させるか否かを決定するようになっている。
【００４７】
次に、第２の実施形態の作用について、図７を用いて説明する。
【００４８】
制御手段１１は、磁気センサ１８から磁気データを入力して、入力装置本体３が固定台５に載置されているか否かを判別する（ＳＴ１１）。そして、制御手段１１は、固定台５に載置されていると判断した場合には（ＳＴ１１においてＹｅｓ）、続いて、タッチパネル７から縫製データが入力されたか否かに基づいてタッチパネル７が操作されたか否かを判別する（ＳＴ１２）。そして、制御手段１１は、タッチパネル７が操作されていないと判断した場合には（ＳＴ１２においてＮｏ）、液晶表示パネル８への電力の供給を中断することにより、省電力モードとする（ＳＴ１３）。一方、制御手段１１は、固定台５に載置されていないと判断した場合（ＳＴ１２においてＮｏ）、およびタッチパネル７から縫製データが入力されたか否かに基づいてタッチパネル７が操作されたと判断した場合には（ＳＴ１２においてＹｅｓ）、液晶表示パネル８に電力を供給して液晶表示パネル８の表示を行う（ＳＴ１４）。
【００４９】
そして、制御手段１１は、手元入力装置１の電源がＯＦＦにされるまで、前述の省電力モードの判断を繰り返す。
【００５０】
本実施形態によれば、第１の実施形態と同様に、手元入力装置１には、入力装置本体３の操作状況を感知可能な磁気センサ１８が設けられており、制御手段１１は、ミシン本体２からデータを入力することを必要とせず、磁気センサ１８からの磁気データのみによって、入力装置本体３の操作状況を判断して、省電力モードを動作するか否かを判断することができる。
【００５１】
したがって、手元入力装置１は、手元入力装置１のみによって、効率的に余分な電力の消費を削減することができる。
【００５２】
また、制御手段１１は、磁気センサ１８によって入力装置本体３が固定台５に載置されていないことを感知した場合には、液晶表示パネル８の表示を行うことができる。このため、例えば、操作者が入力装置本体３を固定台５から取り出すことにより、磁気センサ１８は、入力装置本体３が固定台５に載置されていないことを感知し、制御手段１１は、液晶表示パネル８を省電力モードとすることなく液晶表示パネル８の表示を行うことができる。これにより、操作者は素早くタッチパネル７による操作を開始することができ、手元入力装置１の操作性の向上を図ることができる。
【００５３】
さらに、制御手段１１は、磁気センサ１８が入力装置本体３が固定台５に載置されていることを感知した場合には、制御手段１１がタッチパネル７から入力した縫製データに基づきタッチパネル７が操作されたか否かを判別し、タッチパネル７が操作されたと判断した場合には、省電力モードを停止することにより、手元入力装置１の操作性の向上を図ることができる。さらに、制御手段１１は、タッチパネル７から入力した縫製データに基づきタッチパネル７が操作されていないと判断した場合には、省電力モードを維持することにより、効率的に余分な電力の消費を削減することができる。
【００５４】
なお、本発明は前記実施形態に限定されるものではなく、必要に応じて種々変更することが可能である。
【図面の簡単な説明】
【００５５】
【図１】本発明に係るミシンの手元入力装置の一実施形態における構成を示すブロック図
【図２】図１の手元入力装置を示す概略図
【図３】図１の手元入力装置における省電力モードの判断工程を示すフローチャート
【図４】図１の手元入力装置の表示手段における縫製画面を示す平面図
【図５】本発明に係るミシンの手元入力装置の他の実施形態における構成を示すブロック図
【図６】図５の手元入力装置を示す概略図
【図７】図５の手元入力装置における省電力モードの判断工程を示すフローチャート
【符号の説明】
【００５６】
１  手元入力装置
２  ミシン本体
３  入力装置本体
５  固定台
７  タッチパネル
８  液晶表示パネル
１０  加速度センサ
１１  制御手段
１３  本体制御手段
１５  電源供給手段
１６  開閉器
【図１】
2009232944.tif 000003
【図２】
2009232944.tif 000004
【図３】
2009232944.tif 000005
【図４】
2009232944.tif 000006
【図５】
2009232944.tif 000007
【図６】
2009232944.tif 000008
【図７】
2009232944.tif 000009